(57)【要約】【課題】冷蔵温度帯と冷凍温度帯に切り替えることができ、しかも各温度帯に適した冷却を行うことが可能な冷蔵庫を提供する。【解決手段】冷蔵庫本体１０は、ダンパ部材１２０と、送風ファン９０を備え、フラッパ１２１の駆動軸１２１ｂの中心を点１２１Ａ、駆動軸１２１ｂからフラッパ１２１の先端向かって垂線を下ろし、フラッパ１２１の先端となす交点を点１２１Ｂとし、また、点１２１Ａから送風ファン９０の外周に向かって接線を引いたときの接点（２つできる）のうち、各接点と点１２１Ａを結ぶ線が、接点から回転方向に沿って放射される向きに伸ばした接線と一致する方の接点を点９０Ａとしたとき、点９０Ａ、点１２１Ａ、点１２１Ｂがなす角度をαとすると、角度αが０度より大きく１８０度より小さくなるように送風ファン９０およびダンパ部材１２０を備える。【選択図】図１４
2020118336.tif 000002
【特許請求の範囲】
【請求項１】
貯蔵室の背面側に配置され、冷却器で冷やされた冷気を送風する遠心ファンを備えた冷蔵庫において、
前記遠心ファンから送風された冷気の向きを前面側へ変えるダンパ装置を有することを特徴とする冷蔵庫。
【請求項２】
請求項１において、前記遠心ファンの回転方向に沿って放射される向きに伸ばした接線と、前記ダンパ装置のフラッパの回転軸とでなす角度は、０度より大きく１８０度より小さいことを特徴とする冷蔵庫。
【請求項３】
請求項１において、前記遠心ファンの回転軸の径方向投影上に、前記ダンパ装置の少なくとも一部が位置していることを特徴とする冷蔵庫。
【請求項４】
請求項１において、同一の前記遠心ファンに対向するように、複数の前記ダンパ装置が配置されたことを特徴とする冷蔵庫。
【発明の詳細な説明】
【技術分野】
【０００１】
本発明は、冷蔵庫に関する。
【背景技術】
【０００２】
冷却器で冷却された空気を貯蔵室内へ送風するためのファンとして、遠心ファンを採用した冷蔵庫が知られている。
【０００３】
例えば、下記特許文献では、遠心ファンを傾斜させずに配置することで、冷蔵庫背面の前後方向を省スペース化する点が記載されている。
【先行技術文献】
【特許文献】
【０００４】
【特許文献１】特開２０１８−１１２３３６号公報
【発明の概要】
【発明が解決しようとする課題】
【０００５】
しかし、遠心ファンを単に貯蔵室の背面に傾斜させずに配置しただけでは、遠心ファンの送風方向は軸に対して垂直方向であるため、前方にある貯蔵室へ送風するのは容易でない。さらに、貯蔵室を複数有する冷蔵庫の場合は、各貯蔵室へ送風する風量を調整する必要があり、風量調整手段と遠心ファンの組み合わせ方が重要となる。
【０００６】
上記特許文献では、ファンのケーシングに設けられた傾斜部等により、遠心ファンから放射状に吐出される冷気の向きを変えることで、冷気を前方へ送っているが、冷気の風量の調整は不可能である。
【０００７】
本発明は、前記した従来の課題を解決するものであり、本発明の目的は、遠心ファンを背面に配置しても、前方へ送風可能で、かつ、その風量も調整可能な冷蔵庫を提供することにある。
【課題を解決するための手段】
【０００８】
本発明は、貯蔵室の背面側に配置され、冷却器で冷やされた冷気を送風する遠心ファンを備えた冷蔵庫において、前記遠心ファンから送風された冷気の向きを前面側へ変えるダンパ装置を有することを特徴とする。
【発明の効果】
【０００９】
本発明によれば、遠心ファンを背面に配置しても、前方へ送風可能で、かつ、その風量も調整可能な冷蔵庫を提供できる。
【図面の簡単な説明】
【００１０】
【図１】第１実施形態に係る冷蔵庫を示す外観斜視図である。
【図２】第１実施形態の冷蔵庫の内部を示す縦断面図である。
【図３】冷蔵庫本体の庫内を示す正面図である。
【図４】冷気の流れを説明する図である。
【図５】ファンケーシングを示す概略図である。
【図６】図４のＡ−Ａ線断面図である。
【図７】上段切替室を冷凍温度帯に冷却するダンパ部材を示す斜視図である。
【図８】下段切替室を冷凍温度帯に冷却するダンパ部材を示す斜視図である。
【図９】上段切替室および下段切替室を冷蔵温度帯に冷却するダンパ部材を示す斜視図である。
【図１０】図９のダンパ部材の裏側を示す平面図である。
【図１１】ダンパ部材の配置を示す断面図である。
【図１２】第１実施形態に係る冷蔵庫の全体の冷気の流れを説明する模式図である。
【図１３】（ａ）は、第１実施形態として遠心ファンを備えた冷蔵庫を示す断面図、（ｂ）は比較例としてプロペラファンを備えた冷蔵庫を示す断面図である。
【図１４】送風ファンとダンパ部材の位置関係の詳細を示す図である。
【図１５】角度αとダンパ部材のフラッパの関係を示す断面図である。
【図１６】角度αとダンパ部材から送風される風量（送風効率）を示す図である。
【発明を実施するための形態】
【００１１】
以下、本発明を実施するための形態（本実施形態）を説明する。ただし、本実施形態は、以下の内容に何ら制限されず、本発明の要旨を損なわない範囲内で任意に変更して実施可能である。また、以下では、図１に示す方向を基準として説明する。
【００１２】
（第１実施形態）
図１は、第１実施形態に係る冷蔵庫を示す外観斜視図である。なお、以下では、６ドアの冷蔵庫１を例に挙げて説明するが、５ドア以下、７ドア以上の冷蔵庫に適用することもできる。
【００１３】
図１に示すように、冷蔵庫１は、冷蔵室３０、製氷室４０、冷凍室５０、上段切替室６０（切替室）および下段切替室７０（切替室）を備えた冷蔵庫本体１０を有している。上段切替室６０は、冷蔵温度帯（例えば、１℃〜６℃）から冷凍温度帯（例えば、約−２０℃〜−１８℃）まで温度帯を切り替えることができるようになっている。下段切替室７０も同様に、冷蔵温度帯から冷凍温度帯まで温度帯を切り替えることができるようになっている。冷蔵室３０は、冷蔵温度帯（例えば、６℃）に設定され、製氷室４０および冷凍室５０は、冷凍温度帯（例えば、約−２０℃）に設定される。
【００１４】
また、冷蔵庫１は、冷蔵庫本体１０の正面に、冷蔵室３０を開閉する冷蔵室扉２，３と、製氷室４０を開閉する製氷室扉４と、冷凍室５０を開閉する冷凍室扉５と、上段切替室６０を開閉する上段切替室扉６と、下段切替室７０を開閉する下段切替室扉７と、を備えている。
【００１５】
冷蔵室扉２，３は観音開き可能に構成されている。製氷室扉４、冷凍室扉５、上段切替室扉６、および下段切替室扉７は、手前方向に引き出し可能に構成されている。冷蔵室扉２，３、製氷室扉４、冷凍室扉５、上段切替室扉６および下段切替室扉７は、断熱扉である。
【００１６】
図２は、第１実施形態の冷蔵庫の内部を示す縦断面図である。
【００１７】
図２に示すように、冷蔵庫本体１０は、内箱１１と外箱１２とを組み合わせたものであり、その間に発泡断熱材や真空断熱材が挟まれ、断熱箱体を構成している。発泡断熱材は、硬質ウレタンフォームで形成されている。この硬質ウレタンフォームは、ウレタンフォーム原液（発泡断熱材の原料液）を発泡させた後、硬化させて形成されるものである。ちなみに、ウレタンフォーム原液としては、例えば、ポリエーテルポリオールに、シクロペンタン、水などの発泡剤、さらには触媒、整泡剤などの助剤をプレミックスした液と、イソシアネート液とを混合した液体が挙げられる。
【００１８】
外箱１２は、薄い鋼板を門型に折り曲げて形成された天板１ａおよび左右の側板１ｂ，１ｃ（図１参照）と、別部材で構成された背板１ｄと、別部材で構成された底板１ｅと、によって構成されている。天板１ａには、後部に窪み部が設けられ、この窪み部に制御基板１３が設けられている。制御基板１３は、冷蔵庫１を統括的に制御するものである。
【００１９】
天板１ａ、背板１ｄの内壁面には、真空断熱材Ｖ１，Ｖ２が設けられている。内箱１１の底面側には、真空断熱材Ｖ３が設けられている。左右の側板１ｂ，１ｃ（図１参照）の内壁面には、真空断熱材Ｖ７，Ｖ８（図３参照）が設けられている。
【００２０】
冷蔵室扉２，３には、真空断熱材Ｖ４が設けられている。上段切替室扉６には、真空断熱材Ｖ５が設けられている。下段切替室扉７には、真空断熱材Ｖ６が設けられている。
【００２１】
また、冷蔵庫本体１０は、冷蔵室３０と、製氷室４０および冷凍室５０とを上下に断熱区画する断熱仕切部材１５を備えている。また、冷蔵庫本体１０は、製氷室４０および冷凍室５０と上段切替室６０とを断熱区画する断熱仕切部材１６を備えている。また冷蔵庫本体１０は、上段切替室６０と下段切替室７０とを断熱区画する断熱仕切部材１７を備えている。また、断熱仕切部材１６、１７には、それぞれ真空断熱材Ｖ９，Ｖ１０が設けられている。
【００２２】
冷蔵庫１は、製氷室４０、冷凍室５０、上段切替室６０および下段切替室７０の各室を所定の温度に冷却するために、上段切替室６０および下段切替室７０の背面側に、冷却器８０Ａ（ＥＶＰ：エバポレータ）が設けられている。この冷却器８０Ａは、圧縮機８１と、凝縮機（不図示）、キャピラリーチューブ（不図示）とによって、冷凍サイクルを構成している。冷却器８０Ａの上方には、この冷却器８０Ａにて冷却された冷気を製氷室４０、冷凍室５０、上段切替室６０および下段切替室７０の各室に循環させて所定の温度に保持する送風ファン９０が配設されている。
【００２３】
また、冷却器８０Ａは、製氷室４０、冷凍室５０、上段切替室６０および下段切替室７０の背面側と内箱１１との間に設けられた冷却器収納空間１００に配置されている。この冷却器収納空間１００は、機械室Ｑに設けられた圧縮機８１の直上から送風ファン９０の高さ位置まで延びている。
【００２４】
冷却器収納空間１００には、冷却器８０Ａの下方に、除霜ヒータ８２が設けられている。除霜ヒータ８２によって除霜時に発生したドレン水は、樋（とい）８３に一旦落下し、ドレン孔（不図示）を介して圧縮機８１の上部に設けた蒸発皿（不図示）に溜められる。
【００２５】
冷却器８０Ａによって冷却された空気（冷気）は、製氷室４０および冷凍室５０に、ダンパ部材を介さずに直接に供給される。上段切替室６０には、直接冷却用のダンパ部材１２０、後記する間接冷却用のダンパ部材１４０のダンパ部１４１を介して冷気が供給される。下段切替室７０には、後記する、直接冷却用のダンパ部材１３０（図４参照）、間接冷却用のダンパ部材１４０のダンパ部１４２（図４参照）を介して冷気が供給される。なお、直接冷却とは、収納された食品に冷気を直接に供給して冷却する方式である。また、間接冷却とは、食品の乾燥を抑えるために、収納された食品に冷気が直接に当たらないように供給して冷却する方式である。
【００２６】
また、冷蔵庫１は、冷蔵室３０を所定の温度に冷却するために、冷蔵室３０の背側の下部に、冷却器８０Ｂが設けられている。この冷却器８０Ｂは、圧縮機８１と、凝縮器（不図示）、キャピラリチューブ（不図示）とによって、冷凍サイクルを構成している。また、冷却器８０Ｂの上方には、この冷却器８０Ｂにて冷却された冷気を冷蔵室３０に循環させて所定の温度に保持する送風ファン（不図示）が設けられている。
【００２７】
また、上段切替室６０には、例えば、上段収納容器６１と下段収納容器６２が上下に配置されている。また、下段切替室７０には、例えば、上段収納容器７１と下段収納容器７２が上下に配置されている。なお、各収納容器６１，６２，７１，７２の個数は、本実施形態に限定されるものではなく、適宜変更することができ、それぞれ１段にしてもよく、３段以上にしてもよい。
【００２８】
図３は、冷蔵庫本体の庫内を示す正面図である。なお、図３は、冷蔵庫１から各扉２〜７および収納容器などを取り除いた状態を概略的に示している。
【００２９】
図３に示すように、冷蔵庫本体１０は、上段切替室６０および下段切替室７０の庫内背面を構成する背面断熱仕切部材６５を備えている。背面断熱仕切部材６５の下端は、機械室Ｑ（図２参照）の内側への出っ張りより上側に位置している。
【００３０】
背面断熱仕切部材６５には、上段切替室６０に対応する位置にケース部材１１２，１１３が設けられ、下段切替室７０に対応する位置にケース部材１１４，１１５が設けられている。
【００３１】
ケース部材１１２には、上段切替室６０が冷凍温度帯に設定されたときに冷気が吐出される複数の吐出口６３ａ，６３ｂが形成されているとともに、その内部空間には送風ファン９０から送風された冷気の送風路となっている。吐出口６３ａは、上段切替室６０の上部中央寄りに左右に離間して配置している。吐出口６３ｂは、吐出口６３ａの下方に左右に離間して配置されている。
【００３２】
吐出口６３ａは、上段収納容器６１（図２参照）内に冷気を直接に供給できる位置に形成されている。また、吐出口６３ｂは、下段収納容器６２（図２参照）内に冷気を直接に供給できる位置に形成されている。
【００３３】
また、ケース部材１１２の後方投影上に真空断熱材Ｖ１１の少なくとも一部が存している。これにより、真空断熱材Ｖ１１の面積を大きくして高い断熱性能を確保できるとともに、ケース部材１１２の内部の送風路の広さを確保することができるため通風抵抗の減少を抑制できる。
【００３４】
真空断熱材Ｖ１〜Ｖ１１は、その材質は特に限定されないが、一例を挙げると、多孔質構造のグラスウール等の芯材をラミネートフィルムで真空パックして内部を減圧して封止した断熱材から成る。気体熱伝導率が略ゼロであるため、優れた断熱性能を有している。
【００３５】
ケース部材１１３は、上段切替室６０が冷蔵温度帯に設定されたときに冷気が吐出される吐出口６３ｃが形成されている。この吐出口６３ｃは、吐出口６３ａ，６３ｂの側方（図３の左側方）に位置している。また、吐出口６３ｃは、破線矢印で示すように、左側面の内箱１１に向けて冷気が吐出されるように構成されている。これにより、上段収納容器６１（図２参照）の外側および下段収納容器６２（図２参照）の外側を冷気が通るように（食品を間接的に冷却するように）なっている。
【００３６】
ケース部材１１４は、下段切替室７０が冷凍温度帯に設定されたときに冷気が吐出される複数の吐出口７３ａ，７３ｂが形成されている。吐出口７３ａは、下段切替室７０の上部に左右に離間して配置されている。吐出口７３ｂは、吐出口７３ａの下方に左右に離間して配置されている。
【００３７】
吐出口７３ａは、上段収納容器７１（図２参照）内に冷気を直接に供給できる位置に形成されている。また、吐出口７３ｂは、下段収納容器７２（図２参照）内に冷気を直接に供給できる位置に形成されている。
【００３８】
ケース部材１１５は、下段切替室７０が冷蔵温度帯に設定されたときに冷気が吐出される吐出口７３ｃが形成されている。この吐出口７３ｃは、吐出口７３ａの側方（図３の左側方）に位置している。また、吐出口７３ｃは、破線矢印で示すように、左側面の内箱１１に向けて冷気が吐出されるように構成されている。これにより、上段収納容器７１（図２参照）の外側および下段収納容器７２（図２参照）の外側を冷気が通るように（食品を間接的に冷却するように）なっている。
【００３９】
また、背面断熱仕切部材６５には、吐出口７３ａ，７３ｂ，７３ｃから吐出された冷気を冷却器８０Ａ（図２参照）に戻す戻り口７３ｄが形成されている。この戻り口７３ｄは、吐出口７３ａを挟んで吐出口７３ｃとは反対側（図３の右側方）に形成されている。
【００４０】
また、製氷室４０および冷凍室５０には、冷気が製氷容器（不図示）内および冷凍容器（不図示）内にそれぞれ直接に供給される吐出口４０ａ，５０ａが形成されている。また、冷凍室５０の背面には、吐出口４０ａ，５０ａから吐出された冷気が戻る戻り口４１ａが形成されている。
【００４１】
図４は、冷気風路を背面から見たときの図である。なお、図４は、内箱１１を取り除いて背面から見た状態を概略的に示している。
【００４２】
図４に示すように、冷却器８０Ａの上方には、送風ファン９０が設けられている。送風ファン９０は、ターボファンやシロッコファンなどの遠心ファンによって構成されている。
【００４３】
また、冷却器収納空間１００の上方には、送風ファン９０を収納するファンケーシング１１１が設けられている。このファンケーシング１１１には、送風ファン９０と対向する位置に円形の開口１１１ｓが形成されている。送風ファン９０によって開口１１１ｓを介して冷気が吸い込まれ、周方向から冷気がファンケーシング１１１内に吐出される。
【００４４】
ファンケーシング１１１には、ダンパ部材１２０，１３０，１４０が取り付けられている。ダンパ部材１２０は、上段切替室６０に冷気を供給するものであり、送風ファン９０より上側に設けられている。ダンパ部材１３０は、下段切替室７０に冷気を供給するものであり、送風ファン９０よりも下側かつ冷却器８０Ａの左側方（図４の右側方）に設けられている。ダンパ部材１４０は、ダンパ部１４１，１４２を備え、送風ファン９０の左側方（図４の右側方）に設けられている。
【００４５】
図３に戻って、ケース部材１１２は、ダンパ部材１２０（図２参照）の前方を覆うように配置され、背面断熱仕切部材６５から前方に突出して形成されている。ケース部材１１３は、ダンパ部１４１（図４参照）の前方を覆うように配置され、背面断熱仕切部材６５から前方に突出して形成されている。
【００４６】
ケース部材１１４は、ダンパ部材１３０（図４参照）の前方を覆うように設けられ、背面断熱仕切部材６５から前方に突出して形成されている。ケース部材１１５は、ダンパ部１４２から延びる流路１１６と連通し、背面断熱仕切部材６５から前方に突出して形成されている。
【００４７】
図４に示すように、冷却器収納空間１００は、前記戻り口４１ａから出る冷気を戻り口７３ｄから出る冷気に合流させる戻り流路４１ｂが形成されている。この戻り流路４１ｂは、背面断熱仕切部材６５の右側方（図４の左側方）において鉛直方向に流れるように構成されている。
【００４８】
吐出口６３ａ，６３ｂ（図３参照）から吐出された冷気は、戻り口６３ｄから冷却器８０Ａの下方に流れ、冷却器８０Ａ内を上昇した後に送風ファン９０に再び吸い込まれる。また、吐出口６３ｃ（図３参照）から吐出された冷気も、同様にして、戻り口６３ｄから冷却器８０Ａを通った後に送風ファン９０に再び吸い込まれる。
【００４９】
また、吐出口７３ａ，７３ｂ（図３参照）から吐出された冷気は、戻り口７３ｄから冷却器８０Ａの下方に戻り、冷却器８０Ａ内を上昇した後に送風ファン９０に再び吸い込まれる。また、吐出口７３ｃ（図３参照）から吐出された冷気も、同様にして、戻り口７３ｄに戻り、冷却器８０Ａを通った後に送風ファン９０に再び吸い込まれる。
【００５０】
なお、製氷室４０および冷凍室５０を冷却した後の冷気は、戻り口４１ａから戻り流路４１ｂを通って、戻り口７３ｄからの戻り流路と同様の流路を通って、冷却器８０Ａに戻る。
【００５１】
図５は、ファンケーシングを示す概略図である。
【００５２】
図５に示すように、ファンケーシング１１１は、ダンパ部材１２０に向けて冷気を案内する流路１１１ａ、ダンパ部材１３０に冷気を案内する流路１１１ｂと、を備えている。また、ファンケーシング１１１は、ダンパ部材１４０のダンパ部１４１に向けて冷気を案内する流路１１１ｃと、ダンパ部材１４０のダンパ部１４２に冷気を案内する流路１１１ｄと、を備えている。
【００５３】
流路１１１ａの端部には、不図示のシール材を介してダンパ部材１２０が嵌め込まれている。流路１１１ｂの端部には不図示のシール材を介してダンパ部材１３０が嵌め込まれている。流路１１１ｃの端部には、不図示のシール材を介してダンパ部１４１が嵌め込まれている。流路１１１ｄの端部には、不図示のシール材を介してダンパ部１４２が嵌め込まれている。
【００５４】
図６は、図４のＡ−Ａ線断面図である。なお、図６では、外箱１２、内箱１１と外箱１２との間の断熱材、各扉４，６，７、各収納容器６１，６２，７１，７２の図示を省略している。
【００５５】
図６に示すように、冷蔵庫本体１０は、製氷室４０および冷凍室５０（図３参照）と、上段切替室６０とを断熱する断熱仕切部材１６を備えている。また、冷蔵庫本体１０は、上段切替室６０と下段切替室７０とを断熱する断熱仕切部材１７を備えている。また、冷蔵庫本体１０は、上段切替室６０と、送風ファン９０および冷却器８０Ａとを断熱する背面断熱仕切部材６５を備えている。
【００５６】
送風ファン９０は、ブラケット９２を介して背面断熱仕切部材６５に固定されている。なお、送風ファン９０の取付手段は、背面断熱仕切部材６５に固定する手段に限定されるものではなく、ファンケーシング１１１の冷気吸込み側にブラケットを設けて固定するようにしてもよい。
【００５７】
断熱仕切部材１６，１７は、いずれも真空断熱材Ｖ９，Ｖ１０を含んで構成されている。背面断熱仕切部材６５は、真空断熱材Ｖ１１を含んで構成されている。
【００５８】
また、冷蔵庫本体１０は、前記したように、上段切替室６０の左右側面に、真空断熱材Ｖ７，Ｖ８（図３参照）が設けられている。上段切替室６０を開閉する上段切替室扉６にも、前記したように真空断熱材Ｖ５（図２参照）が設けられている。このように、上段切替室６０は、前後、左右および上下の６面が真空断熱材Ｖ５，Ｖ７，Ｖ８，Ｖ９，Ｖ１０，Ｖ１１によって囲まれている。これにより、製氷室４０および冷凍室５０が冷凍温度帯に設定され、背面に冷却器８０Ａが配置されている場合において、上段切替室６０が冷蔵温度帯に設定されたときのような条件が厳しい場合であっても、上段切替室６０を冷蔵温度帯に設定することが可能になる。
【００５９】
また、冷蔵庫本体１０は、上段切替室６０において、底面を構成する断熱仕切部材１７の奥側に、冷却器８０Ａへの戻り口６３ｄに連通する開口部６３ｅが形成されている。この開口部６３ｅは、左右方向に沿って細長く形成されている。
【００６０】
また、冷蔵庫本体１０は、上段切替室６０の左側面に、上段収納容器６１（図２参照）を前後方向にスライド自在に支持するレール部材１１ａが形成されている。上段切替室扉６（図２参照）には、スライド部材（不図示）が設けられ、このスライド部材が上段切替室６０に設けられたレール部材１１ｂにスライド自在に支持されている。なお、上段切替室６０の右側面にも同様な構成のレール部材が設けられている。
【００６１】
また、冷蔵庫本体１０は、下段切替室７０の左側面に、上段収納容器７１（図２参照）を前後方向にスライド自在に支持するレール部材１１ｃが形成されている。下段切替室扉７（図２参照）には、スライド部材（不図示）が設けられ、このスライド部材が下段切替室７０に設けられたレール部材１１ｄにスライド自在に支持されている。なお、下段切替室７０の右側面にも同様な構成のレール部材が設けられている。
【００６２】
図７は、上段切替室を冷凍温度帯に冷却するダンパ部材を示す斜視図、図８は、下段切替室を冷凍温度帯に冷却するダンパ部材を示す斜視図、図９は、上段切替室および下段切替室を冷蔵温度帯に冷却するダンパ部材を示す斜視図、図１０は、図９の裏側を示す平面図である。
【００６３】
図７に示すように、ダンパ部材１２０（冷凍温度帯用ダンパ）は、フラッパ１２１（羽根部材）を開閉自在に支持するフラッパ支持部１２２と、フラッパ１２１に回転駆動力を与える駆動部１２３と、を備える。なお、駆動部１２３は、モータとギアを含む公知の技術によって、フラッパ１２１を開閉するようになっている。
【００６４】
フラッパ支持部１２２は、横方向（幅方向）に細長く形成された弁箱１２２ａと、この弁箱１２２ａの前面に形成される矩形状の開口１２２ｂと、を有している。開口１２２ｂには、この開口１２２ｂから奥側に向けて延びる環状の弁座部１２２ｃが形成されている。
【００６５】
フラッパ１２１の前側の全面には、シート状のシール材１２１ａが貼り付けられている。フラッパ１２１の前面の周縁部が弁座部１２２ｃに当接することで、開口１２２ｂから冷気が漏れ出ないようになっている。
【００６６】
図８に示すように、ダンパ部材１３０（冷凍温度帯用ダンパ）は、フラッパ１３１（羽根部材）を開閉自在に支持するフラッパ支持部１３２と、フラッパ１３１に回転駆動力を与える駆動部１３３と、を備えている。
【００６７】
フラッパ支持部１３２は、略正方形状に形成された弁箱１３２ａと、この弁箱１３２ａの前面に形成される正方形状の開口１３２ｂと、を有している。開口１３２ｂには、この開口１３２ｂから奥側に向けて延びる環状の弁座部１３２ｃが形成されている。
【００６８】
フラッパ１３１の前側の全面には、シート状のシール材１３１ａが貼り付けられている。フラッパ１３１の前面の周縁部が弁座部１３２ｃに当接することで、開口１３２ｂから冷気が漏れ出ないようになっている。
【００６９】
図９に示すように、ダンパ部材１４０は、ダンパ部１４１とダンパ部１４２との間に駆動部１４３を有している。ダンパ部１４１，１４２は、ダンパ部材１２０，１３０と同様に、フラッパ１４１ａ，１４２ａ、フラッパ支持部１４１ｂ，１４２ｂを備えている。フラッパ支持部１４１ｂ，１４２ｂは、弁箱１４１ｃ，１４２ｃ、開口部１４１ｄ，１４２ｄ、弁座部１４１ｅ，１４２ｅを備えている。また、フラッパ１４１ａ，１４２ａの前側の全面には、シール材１４１ｆ，１４２ｆが貼り付けられている。
【００７０】
駆動部１４３は、単一のモータを備え、公知の技術によってダンパ部１４１のフラッパ１４１ａとダンパ部１４２のフラッパ１４２ａとを独立して開閉動作できるようになっている。つまり、ダンパ部材１４０は、ダンパ部１４１，１４２の双方を閉じ、またダンパ部１４１，１４２の双方を開くことができるように構成されている。また、ダンパ部材１４０は、ダンパ部１４１を開きかつダンパ部１４２を閉じ、またダンパ部１４１を閉じかつダンパ部１４２を開くことができるように構成されている。このように、ダンパ部１４１とダンパ部１４２とをまとめてダンパ部材１４０にすることで、製造コストを低減できる。なお、本実施形態では、ダンパ部１４１，１４２を一体にした場合を例に挙げて説明したが、ダンパ部１４１，１４２を別々に構成してもよい。
【００７１】
図１０に示すように、ダンパ部材１４０のダンパ部１４１，１４２の裏側は、フラッパ１４１ａ，１４２ａの周囲が裏側に向けて開放した形状になっている。すなわち、フラッパ支持部１４１ｂ，１４２ｂは、後方に向けて開放した形状の弁箱１４１ｃ，１４２ｃを有している。この弁箱１４１ｃ，１４２ｃと弁座部１４１ｅ，１４２ｅ（図９参照）との間に溝状の隙間が形成され、換言するとフラッパ１４１ａ，１４２ａの周囲に隙間Ｓ１，Ｓ２が形成されている。
【００７２】
なお、ダンパ部材１２０，１３０についても、ダンパ部材１４０と同様にして、裏側に向けて開放するとともにフラッパ１２１，１３１の周囲に隙間が形成された形状を有している。
【００７３】
また、フラッパ１４１ａは、回動軸１４１ｇを有し、弁箱１４１ｃの内側において回動自在に支持されている。また、フラッパ１４２ａは、回動軸１４２ｇを有し、弁箱１４２ｃの内側において回動自在に支持されている。回動軸１４１ｇと回動軸１４２ｇは、軸方向が互いに平行に配置されるとともに、軸方向において互いに重ならない位置に形成されている。また、フラッパ１４１ａ，１４２ａは、軸方向に直交する向きに互いに逆向きに開くように構成されている。
【００７４】
また、駆動部１４３のケースの裏側には、制御用の雌コネクタ部１４３ａが設けられている。この雌コネクタ部１４３ａは、ダンパ部１４２側に向けて端子部１４３ｂが延びて形成され、雄コネクタ（不図示）が鉛直方向の下方から雌コネクタ部１４３ａに挿入されることで電気的な接続が行われる。また、ダンパ部材１４０は、ファンケーシング１１１（図４参照）に鉛直方向の上側にダンパ部１４１、下側にダンパ部１４２が位置するように配置され、雌コネクタ部１４３ａが下向きに配置される。よって、例えばダンパ部材１４０に発生した霜が溶けたときのドレン水が駆動部１４３のケース上を流れ落ちたとしても、端子部１４３ｂがドレン水に曝されるのを防止できる。
【００７５】
図１１は、ダンパ部材の配置を示す断面図である。
【００７６】
ダンパ部材１２０は、図１１（ａ）に示す配置において、フラッパ支持部１２２の弁箱１２２ａの下部の内壁面に水Ｗが溜り易くなる。このような位置で水Ｗが凍結すると、フラッパ１２１が氷に引っ掛かって開かなくなる虞がある。そこで、図１１（ｂ）に示すように、ダンパ部材１２０を、弁箱１２２ａが後側に向けて下るように傾斜させることで、フラッパ支持部１２２の裏側に水Ｗが溜るのを防止できる。なお、ダンパ部材１３０，１４０についても同様に傾斜して配置される。
【００７７】
また、ダンパ部材１２０を図１１（ｂ）に示す配置にした場合、弁座部１２２ｃとフラッパ１２１によって形成される凹部に水が溜ることになる。しかし、ダンパ部材１２０には後記するヒータＨ６（図１９参照）が設けられるので、フラッパ１２１が開くことで水が後側に流れることになる。
【００７８】
また、ダンパ部材１２０の樹脂材料を、撥水性を有する樹脂または親水性を有する樹脂で構成するようにしてもよい。
【００７９】
図１２は、本実施形態に係る冷蔵庫の冷気の流れを説明する模式図である。
【００８０】
図１２に示すように、冷蔵庫１の冷蔵室３０では、冷蔵室３０専用に設けられた冷却器８０Ｂで生成された冷気が送風ファン９０に吸い込まれ、冷蔵室３０内の背面に設けられた複数の吐出口（不図示）から吐出される。食品を冷却した後の冷気は、冷蔵室３０の下部に設けられた戻り口（不図示）から冷却器８０Ｂに戻る。
【００８１】
冷蔵庫１の製氷室４０および冷凍室５０では、冷却器８０Ａによって生成された冷気が送風ファン９０によって製氷室４０に設けられた吐出口４０ａ（図３参照）および冷凍室５０に設けられた吐出口５０ａ（図３参照）から吐出される。そして、食品を冷却した後の空気は、冷凍室５０の背面側に設けられた戻り口４１ａに吸い込まれ、戻り流路４１ｂを通って、冷却器８０Ａに戻る。このように、製氷室４０および冷凍室５０では、冷却器８０Ａで生成された冷気が常時送られるようになっている。
【００８２】
上段切替室６０が冷凍温度帯に設定された場合には、ダンパ部材１２０が開かれる。この場合、冷却器８０Ａによって生成された冷気がダンパ部材１２０を通過する。そして、冷気が上段切替室６０に設けられた吐出口６３ａから上段収納容器６１内の食品に直接に供給されるとともに、吐出口６３ｂから下段収納容器６２内の食品に直接に供給される。
【００８３】
また、上段切替室６０が冷蔵温度帯に設定された場合には、ダンパ部材１４０のダンパ部１４１が開かれる。この場合、冷却器８０Ａによって生成された冷気がダンパ部１４１を通過する。そして、上段切替室６０に設けられた吐出口６３ｃから上段収納容器６１の外側および下段収納容器６２の外側に冷気が流れることで食品が間接的に冷却される。これにより、上段収納容器６１および下段収納容器６２内の食品の乾燥を抑制できる。
【００８４】
下段切替室７０が冷凍温度帯に設定された場合には、冷却器８０Ａによって生成された冷気がダンパ部材１３０を通過する。そして、下段切替室７０に設けられた吐出口７３ａから上段収納容器７１内の食品に直接に供給されるとともに、吐出口７３ｂから下段収納容器７２内の食品に直接に供給される。
【００８５】
また、下段切替室７０が冷蔵温度帯に設定された場合には、ダンパ部材１４０のダンパ部１４２が開かれる。この場合、冷却器８０Ａによって生成された冷気がダンパ部１４２および流路１１６（図４参照）を通過する。そして、下段切替室７０に設けられた吐出口７３ｃから上段収納容器７１の外側および下段収納容器７２の外側に冷気が流れることで食品が間接的に冷却される。これにより、上段収納容器７１および下段収納容器７２内の食品の乾燥を抑制できる。
【００８６】
このように、第１実施形態の冷蔵庫１では、上段切替室６０を冷蔵温度帯かつ下段切替室７０を冷凍温度帯に設定することができる。また、冷蔵庫１では、上段切替室６０を冷凍温度帯かつ下段切替室７０を冷蔵温度帯に設定することができる。また、冷蔵庫１では、上段切替室６０と下段切替室７０の双方を冷凍温度帯に設定することができる。また、冷蔵庫１では、上段切替室６０と下段切替室７０の双方を冷蔵温度帯に設定することができる。
【００８７】
図１３（ａ）は、第１実施形態の送風ファンとして遠心ファンを備えた冷蔵庫を示す断面図、図１３（ｂ）は比較例の送風ファンとしてプロペラファンを備えた冷蔵庫を示す断面図である。
【００８８】
図１３（ａ）に示すように、冷蔵庫１は、送風ファン９０として遠心ファン（ターボファンやシロッコファン）を備え、送風ファン９０が背面断熱仕切部材６５の後方に配置されている。このような送風ファン９０は、径方向の中心側から冷気を吸込み、周方向に冷気が吐出されるので、送風ファン９０の軸方向前方の空間を狭くでき、軸方向の後方（吸込側）の空間を確保するだけでよい。よって、第１実施形態では、上段切替室６０の背面側に設けられる冷却器収納空間１００の前後方向の寸法Ｄ１を小さくできる。
【００８９】
これに対して、図１３（ｂ）に比較例として示す冷蔵庫２００は、送風ファン２０１としてプロペラファンを備え、送風ファン２０１が背面断熱仕切部材２０２の後方に配置されている。このような場合、送風ファン２０１が傾斜して配置され、後方と前方にそれぞれ吸込空間と吐出空間が必要になる。よって、上段切替室２０３の背面側に設けられる冷却流路の空間の前後方向の寸法Ｄ１００（＞Ｄ１）を大きく確保する必要がある。
【００９０】
このように、第１実施形態では、送風ファン９０とした場合の上段切替室６０の容積Ｑ１を、比較例として送風ファン２０１とした場合の上段切替室２０３の容積Ｑ１００よりも大きく確保できる。これにより、上段切替室６０の食品の収納量を増加させることが可能になる。
【００９１】
また、冷蔵室３０用の冷却器８０Ｂと、冷蔵室３０より下側の冷却器８０Ａと、を分けることにより、冷却器８０Ａを小型（例えば、７段→５段）にすることができる。これにより、冷却器収納空間１００の上下方向の寸法をコンパクトにできる。このため、製氷室４０内および冷凍室５０内の背面における前方への出っ張りの容積を削減することができ、製氷室４０および冷凍室５０内の容積を拡大することができる。
【００９２】
また、冷却器８０Ａの上方投影上に送風ファン９０が設けられるとともに、送風ファン９０の上方投影上にダンパ部材１２０の少なくとも一部が存する。
【００９３】
図１４は送風ファン９０とダンパ部材１２０の位置関係の詳細を示したものである。
【００９４】
ダンパ部材１２０は送風ファン９０の上方に配置され、フラッパ１２１が開くと、送風ファン９０から送風される風が、ケース部材１１２内に送風される。
【００９５】
ここで、フラッパ１２１の駆動軸１２１ｂの中心を点１２１Ａ、駆動軸１２１ｂからフラッパ１２１の先端向かって垂線を下ろし、フラッパ１２１の先端となす交点を点１２１Ｂとする。また、点１２１Ａから送風ファン９０の外周に向かって接線を引いたときの接点（２つできる）のうち、各接点と点１２１Ａを結ぶ線が、接点から回転方向に沿って放射される向きに伸ばした接線と一致する方の接点を点９０Ａとする。点９０Ａ、点１２１Ａ、点１２１Ｂがなす角度をαとすると、角度αが０度より大きく１８０度より小さくなるように送風ファン９０およびダンパ部材１２０を配置している。
【００９６】
図１５に角度αが０度より大きく１８０度より小さい場合と、１８０度より大きく３６０度より小さい場合のフラッパ１２１と送風ファン９０の位置関係を示した断面図を示す。角度αが０度より大きく１８０度より小さいと、フラッパ１２１が送風ファン９０から送風される冷気を受けてガイドの役割を果たし、ケース部材１１２内にスムーズに送風されて送風効率が上がる。一方、角度αが１８０度より大きく３６０度より小さいと、フラッパ１２１がガイドの役割を果たせなくなり、送風効率が下がってしまう。
【００９７】
図１６に角度αとダンパ部材１２０を通過する風量（送風効率）の関係を示す。角度αが０度に近いほど送風効率が高いため、理想的である。
【００９８】
また、角度αが０度より大きく１８０度より小さい場合、フラッパ１２１の開角度を調整することで、風量を調節することも容易となる。
【００９９】
以上、本実施形態について図面を参照しながら説明したが、本実施形態は前記の内容に何ら限定されるものではなく、様々な変形例が含まれる。例えば、本実施例では風量調整が特に重要となる切替室を有する冷蔵庫を例に挙げているが、切替室がない冷蔵庫であってもよい。
【符号の説明】
【０１００】
１，１Ａ，１Ｂ，１Ｃ  冷蔵庫
１０    冷蔵庫本体
１１    内箱
１１ｅ，１１ｇ  リブ
１２    外箱
１６，１７  断熱仕切部材
３０    冷蔵室
４０    製氷室（貯蔵室）
５０    冷凍室（貯蔵室）
６０    上段切替室（切替室）
６１    上段収納容器（収納容器）
６２    下段収納容器（収納容器）
６３ａ，６３ｂ  吐出口（冷凍温度帯用吐出口）
６３ｃ  吐出口（冷蔵温度帯用吐出口）
６４    収納容器（冷凍温度帯用収納容器）
６５    背面断熱仕切部材
６６    収容パネル
６７    保持パネル
７０    下段切替室（切替室）
７１    上段収納容器（収納容器）
７２    下段収納容器（収納容器）
７３ａ，７３ｂ  （冷凍温度帯用吐出口）
７３ｃ  吐出口（冷蔵温度帯用吐出口）
７４    収納容器（冷蔵温度帯用収納容器）
８０Ａ  冷却器
９０    送風ファン
１００  冷却器収納空間
１１１  ファンケーシング
１１１ｓ  開口
１２０  ダンパ部材（冷凍温度帯用ダンパ、上段切替室用ダンパ）
１２１  フラッパ（羽根部材）
１２１ａ  シール材
１２１ｂ  駆動軸
１２１Ａ  駆動軸中心
１２２  フラッパ支持部
１２２ａ  弁箱
１２２ｂ  開口
１２２ｃ  弁座
１２３  駆動部
１３０  ダンパ部材（冷凍温度帯用ダンパ、下段切替室用ダンパ）
１４０  ダンパ部材（冷蔵温度帯用ダンパ）
１４１  ダンパ部（上段切替室用ダンパ）
１４２  ダンパ部（下段切替室用ダンパ）
１４３  駆動部
１４３ａ  雌コネクタ部
１４３ｂ  端子部
Ｈ１〜Ｈ１１  ヒータ
Ｖ１〜Ｖ１１  真空断熱材
【図１】
2020118336.tif 000003
【図２】
2020118336.tif 000004
【図３】
2020118336.tif 000005
【図４】
2020118336.tif 000006
【図５】
2020118336.tif 000007
【図６】
2020118336.tif 000008
【図７】
2020118336.tif 000009
【図８】
2020118336.tif 000010
【図９】
2020118336.tif 000011
【図１０】
2020118336.tif 000012
【図１１】
2020118336.tif 000013
【図１２】
2020118336.tif 000014
【図１３】
2020118336.tif 000015
【図１４】
2020118336.tif 000016
【図１５】
2020118336.tif 000017
【図１６】
2020118336.tif 000018